(57)【特許請求の範囲】
【請求項１】
上行大動脈を経てこれより分岐する冠動脈に先端際を導入し留置するためのカテーテルであって、
中空のカテーテル本体を備えており、
前記カテーテル本体の基端部が、自然状態において直線状に形成され、
前記カテーテル本体の先端部には、自然状態において、第１カーブと、当該第１カーブより基端側に設けられ、当該第１カーブとは異なる方向に曲げられた第２カーブとが形成され、
前記第２カーブは、自然状態において、前記カテーテル本体の基端部の延長線を巻く方向に曲がっていると共に、留置状態において、前記上行大動脈と前記冠動脈との分岐部からこれと反対側の前記上行大動脈の内壁部分にかけての前記上行大動脈の内壁に連続的に沿う曲線に相当する形状となっており、前記冠動脈の口からその反対側にかけての前記上行大動脈の前記内壁に対して前記カテーテル本体の先端部を連続的に接触させることができ、
前記カテーテル本体の先端部内に器具を挿入した場合に生ずる、前記第２カーブが拡径するような変形にも対応することができるように、当該変形によって生ずる前記第２カーブの拡径方向への力を、前記第２カーブが連続して接触する前記上行大動脈の前記内壁で受け止めることができるようになっている
ことを特徴とするカテーテル。
【請求項２】
前記カテーテル本体の先端部が、自然状態において、前記カテーテル本体の先端際に付与された前記第１カーブを除いて前記カテーテル本体の基端部の延長線を巻くように形成されている
ことを特徴とする請求項１に記載のカテーテル。
【請求項３】
上行大動脈を経てこれより分岐する冠動脈に先端際を導入し留置するためのカテーテルであって、
中空のカテーテル本体を備えており、
前記カテーテル本体の基端部が、自然状態において直線状に形成され、
前記カテーテル本体の先端部には、自然状態において、第１カーブと、当該第１カーブより基端側に設けられ、当該第１カーブとは異なる方向に曲げられた第２カーブとが形成され、
前記第２カーブは、自然状態において、前記カテーテル本体の基端部の延長線を巻く方向に曲がっていると共に、自然状態において、前記上行大動脈と前記冠動脈との分岐部からこれと反対側の前記上行大動脈の内壁部分にかけての前記上行大動脈の内壁に連続的に沿う曲線に相当する形状となっており、前記冠動脈の口からその反対側にかけての前記上行大動脈の前記内壁に対して前記カテーテル本体の先端部を連続的に接触させることができ、
前記カテーテル本体の先端部内に器具を挿入した場合に生ずる、前記第２カーブが拡径するような変形にも対応することができるように、当該変形によって生ずる前記第２カーブの拡径方向への力を、前記第２カーブが連続して接触する前記上行大動脈の前記内壁で受け止めることができるようになっている
ことを特徴とするカテーテル。
【発明の詳細な説明】
【技術分野】
【０００１】
本発明は、医療器具としてのカテーテルに関する。
【背景技術】
【０００２】
冠動脈用カテーテルとして、下記特許文献１，２に記載のものが知られている。前者は、腕の動脈から上行大動脈を経てこれより分岐する左冠動脈に先端際を導入するもので、特許文献１の図１に示されるように、カーブを付与するものの平面的に形成されており、先端際導入時（留置時）には、特許文献１の図５に示されるように、左冠動脈口と、その向かいの上行大動脈壁とにおいて支持されるよう、先端部にカーブが付与されたものである。【０００３】
一方後者は、下行大動脈から上行大動脈を経てこれより分岐する右冠動脈に先端際を導入するもので、特許文献２の第２Ｂ図ないしは第１２Ｂ図に示されるように、下行大動脈から上行大動脈にかけての大動脈弓に合わせてカーブが付与されたものであり、右冠動脈へ導入し易くする観点から、特許文献２の第５Ｂ図，第６Ｂ図のように、大動脈弓に対応するカーブより先あるいは先端付近において、基端部分から若干角度を付与されているものも開示されている。【０００４】
【特許文献１】特許第３６５９５０２号公報
【特許文献２】特許第３４６９５７８号公報
【発明の開示】
【発明が解決しようとする課題】
【０００５】
特許文献１のカテーテルでは、留置時において、上行大動脈壁と、これより離れた左冠動脈口とで支持されるため、操作中に上行大動脈壁より先の部分が上下にしなる可能性があり、特にカテーテル内へのガイドワイヤ等の器具の挿入による反力がカテーテルの先端部に作用した場合には、先端際に意図しない変位が生じる可能性がある。よって、特許文献１のカテーテルでは、予期せぬ動きをして、意図しない左冠動脈口からの離脱を生ずる可能性がある。【０００６】
又、特許文献２のカテーテルにおいても、留置時に大動脈弓壁から浮くものであって大動脈弓に常に支持されるものでなく、上行大動脈の右冠動脈口付近においては、特許文献１のものと同様、２点支持となって、操作への支障を生ずる可能性がある。【０００７】
そこで、請求項１に記載の発明は、上行大動脈を始めとする主生体管路を経て、冠動脈を始めとする従生体管路へ先端際を導入した場合における、主生体管路内壁による支持を更に良好なものとして、操作への支障が生ずる可能性をより一層低減可能なカテーテルを提供することを目的としたものである。
【課題を解決するための手段】
【０００８】
上記目的を達成するために、請求項１に記載の発明は、上行大動脈を経てこれより分岐する冠動脈に先端際を導入し留置するためのカテーテルであって、中空のカテーテル本体を備えており、前記カテーテル本体の基端部が、自然状態において直線状に形成され、前記カテーテル本体の先端部には、自然状態において、第１カーブと、当該第１カーブより基端側に設けられ、当該第１カーブとは異なる方向に曲げられた第２カーブとが形成され、前記第２カーブは、自然状態において、前記カテーテル本体の基端部の延長線を巻く方向に曲がっていると共に、留置状態において、前記上行大動脈と前記冠動脈との分岐部からこれと反対側の前記上行大動脈の内壁部分にかけての前記上行大動脈の内壁に連続的に沿う曲線に相当する形状となっており、前記冠動脈の口からその反対側にかけての前記上行大動脈の前記内壁に対して前記カテーテル本体の先端部を連続的に接触させることができ、前記カテーテル本体の先端部内に器具を挿入した場合に生ずる、前記第２カーブが拡径するような変形にも対応することができるように、当該変形によって生ずる前記第２カーブの拡径方向への力を、前記第２カーブが連続して接触する前記上行大動脈の前記内壁で受け止めることができるようになっていることを特徴とするものである。
【００１１】
又、請求項２に記載の発明は、請求項１に記載の発明において、前記カテーテル本体の先端部が、自然状態において、前記カテーテル本体の先端際に付与された前記第１カーブを除いて前記カテーテル本体の基端部の延長線を巻くように形成されていることを特徴とするものである。
【００１２】
加えて、請求項３に記載の発明は、上行大動脈を経てこれより分岐する冠動脈に先端際を導入し留置するためのカテーテルであって、中空のカテーテル本体を備えており、前記カテーテル本体の基端部が、自然状態において直線状に形成され、前記カテーテル本体の先端部には、自然状態において、第１カーブと、当該第１カーブより基端側に設けられ、当該第１カーブとは異なる方向に曲げられた第２カーブとが形成され、前記第２カーブは、自然状態において、前記カテーテル本体の基端部の延長線を巻く方向に曲がっていると共に、自然状態において、前記上行大動脈と前記冠動脈との分岐部からこれと反対側の前記上行大動脈の内壁部分にかけての前記上行大動脈の内壁に連続的に沿う曲線に相当する形状となっており、前記冠動脈の口からその反対側にかけての前記上行大動脈の前記内壁に対して前記カテーテル本体の先端部を連続的に接触させることができ、前記カテーテル本体の先端部内に器具を挿入した場合に生ずる、前記第２カーブが拡径するような変形にも対応することができるように、当該変形によって生ずる前記第２カーブの拡径方向への力を、前記第２カーブが連続して接触する前記上行大動脈の前記内壁で受け止めることができるようになっていることを特徴とするものである。
【発明の効果】
【００１３】
本発明によれば、カテーテル本体における従生体管路導入部分より基端側が主生体管路内で動いてしまう事態を防止して、従生体管路からの先端際の離脱を始めとする操作への支障を防止することができる。
【発明を実施するための最良の形態】
【００１４】
本発明の一実施形態に係るカテーテルにつき、適宜図面に基づいて説明する。図１は当該カテーテル１の一部省略説明図、図２はカテーテル１の先端部付近の説明図、図３は留置状体におけるカテーテル１の説明図、図４は図３のＡ−Ａ線断面図である。カテーテル１は、冠動脈用のガイディングカテーテルである。カテーテル１は、末端開放管状に形成された中空で柔軟な樹脂製のカテーテル本体（以下「本体」という）２と、造影剤注入器等を接続するハブ３とを有する。ハブ３は、本体２の基端に接合されている。【００１５】
なお、本体２は、外径１．７ｍｍ（ミリメートル）、内径１．１５ｍｍ、有効長９９０ｍｍである。また、本体２の材質の例として、ポリアミド、ポリエステル系ポリアミド、ポリエーテル系ポリアミド、ポリウレタン、フッ素系樹脂が挙げられる。【００１６】
本体２の基端部４は、自然状態で直線状に形成されている。一方、図２にも示すように、本体２の先端部５は、自然状態で湾曲するように形成されている。なお、図３に示されるように、先端部５は、留置状態においても湾曲している。【００１７】
先端部５においては、先端際（先端から１０ｍｍ）に、第１カーブ１０が付与されている。又、第１カーブ１０から、上行大動脈Ｕの内壁の、左冠動脈Ｌ又は右冠動脈Ｒの付近における半周分の距離に相当する長さ（５５ｍｍ）だけ離れた部分に、第３カーブ１２が付与されている。第１カーブ１０と第３カーブ１２の間は、第３カーブ１２よりなだらかに曲がる第２カーブ１１とされている。なお、上行大動脈Ｕは、主生体管路に相当し、左冠動脈Ｌは、主生体管路から分岐する先端際導入対象としての従生体管路に相当する。【００１８】
第１カーブ１０は、第２カーブ１１とは異なる方向に曲げられている。第２カーブ１１は、左冠動脈Ｌにおける上行大動脈Ｕとの分岐部から、これと反対側の上行大動脈Ｕの内壁部分にかけての、上行大動脈Ｕの内壁に沿う曲線に対応する形状となっている。第３カーブ１２は、第２カーブ１１を含む仮想的な平面から、基端側が離れるように付与される。そして、先端部５における第３カーブ１２より基端側は、直線状の基端部４へ徐々に近づくようゆるやかに湾曲している。【００１９】
このように、先端部５は、自然状態において、第１カーブ１０から連続的に曲がるよう形成されており、第１カーブ１０を除いて基端部４の延長線を巻くように形成されている。又、本体２は、自然状態において、第２カーブ１１を含む仮想的な平面に対し、基端側４の延長線が交わるように、３次元で形成されている。【００２０】
カテーテル１は、以下に示すように、操作者によって導入され、留置され得る。即ち、まず操作者は、図示しないガイドワイヤを本体２に通し、先端部５を基端部４から連続する直線状にし、本体２を柔軟性のある直線状とする。次に、操作者は、図示しないカテーテルイントロデューサを用いて、先端部５を右腕の動脈から導入する。続いて、操作者は、先端部５を、図示しない上腕動脈から腋窩動脈に続き、図３に示す右鎖骨下動脈Ｓを経て、上行大動脈Ｕに進行させる。なお、血管名称における左右は、導入対象者に基づくので、導入対象者の腹部側から表した図３における左右と逆になる。【００２１】
そして、操作者は、先端部５のうち少なくとも第３カーブ１２に相当する部分より先端側が上行大動脈Ｕに入ったら、ガイドワイヤを引き、第１カーブ１０ないしは第３カーブ１２を上行大動脈Ｕ内で出現させる。この後、操作者は、第１カーブ１０から先端側、即ち本体２の先端際を、左冠動脈Ｌに導入する。【００２２】
又、操作者は、第２カーブ１１について、大動脈弁Ｖの上方であって、左冠動脈Ｌ及び右冠動脈Ｒの口（上行大動脈Ｕからの分岐部）より下方の部分に位置するように移動させ、カテーテルを留置状態とする。このとき、第２カーブ１１を含む仮想的な平面は、上行大動脈Ｕの円筒状の壁面にほぼ直交する。【００２３】
第２カーブ１１は、左冠動脈Ｌの口からこれと反対側の上行大動脈Ｕの内壁部分にかけての上行大動脈Ｕの内壁に沿う曲線に対応する形状となっており、あるいは基端部５の延長線を巻く方向に曲がっていて本体２が３次元となっており、更に上行大動脈Ｕの内壁の半周に相当する長さを有しているので、操作者は、適宜先端部５を若干進行させて、第２カーブ１１につき、留置状態において、左冠動脈Ｌの口から、これと反対側の上行大動脈壁Ｕにおける右冠動脈Ｒの口の下側部分にかけての、上行大動脈Ｕの壁に沿う曲線に相当する形状をとらせることができる。そしてこの場合、図４にも示されるように、第２カーブ１１は、上行大動脈Ｕの内壁に連続的に接触している。【００２４】
以上のカテーテル１では、留置状態における先端部５の形状が、左冠動脈Ｌの口からこれと反対側の上行大動脈Ｕの壁部分にかけての当該壁に沿う曲線形状を含み、あるいは当該曲線形状をとるように、自然状態における先端部５の形状が３次元で、湾曲するように形成されているので、左冠動脈Ｌの口からその反対側にかけての上行大動脈Ｕの内壁に対し先端部５を連続的に接触させることができる。従って、カテーテル１にあっては、留置時において、左冠動脈Ｌに導入される本体２の先端際の直後から上行大動脈Ｕの内壁によって支持され、本体２における先端際より基端側が動いてしまう事態を防止して、先端際の左冠動脈Ｌからの離脱を始めとする操作への支障を防止することができる。【００２５】
又、カテーテル１では、先端部５内にガイドワイヤ、バルーンカテーテル等の器具を挿入した場合に生ずる、第２カーブ１１が拡径するような変形にも対応することができる。即ち、カテーテル１では、この変形によって生ずる第２カーブ１１の拡径方向への力Ｆを、第２カーブ１１が連続して接触する上行大動脈Ｕの内壁で受け止めることができる。これらの力Ｆは、上行大動脈Ｕの内壁にほぼ垂直に作用することになる。これによって、カテーテル１の先端部が、上行大動脈Ｕの内壁においてより一層強固に支持される。そしてこのことによっても、本体２における先端際より基端側が動いてしまう事態を防止して、先端際の左冠動脈Ｌからの離脱を始めとする操作への支障を防止することができるものである。【００２６】
更に、カテーテル１は、留置時において、上行大動脈Ｕの内壁に対し先端部５を連続的に接触することによって支持されているので、左冠動脈Ｌの口にかかる負荷を小さくすることができる。よって、カテーテル１では、左冠動脈Ｌの口に対する負担を小さくすることもできる。【００２７】
なお、主に上記実施形態を変更して成る、本発明の他の実施形態を例示する。本体先端際の側面に孔を設ける。第１カーブを設けず、第２カーブが先端まで続くようにする。第１ないし第３カーブの曲がる方向を逆にする。本体の素材につき、合成樹脂と金属メッシュとの積層体や、金属とする。【００２８】
又、先端際の柔軟性を他の部分より高めたり、第２カーブの柔軟性を他の部分より高めたり、先端際及び第２カーブの柔軟性を他の部分より高めたり、第２カーブの柔軟性を高め且つ先端際の柔軟性を更に高めたりする。このように先端部のうち少なくとも第２カーブが付与される部分を基端部に比して柔軟に形成することで、先端部が容易に変形するので、生体管路内へ導入する導入操作時に生体管路と干渉することを好適に防ぐことができ、生体管路内壁へ強固に支持され得るカテーテルの導入操作を、更に容易に行うことができる。【００２９】
あるいは、先端部のうち第２カーブが付与された部分を除く部分に親水性コーティングを施し、第２カーブが付与された部分と生体管路内壁との摩擦係数を、他の先端部と生体管路内壁との摩擦係数と比して高くする。これによって、生体管路内壁への支持の水準を維持しながら、導入操作を一層容易に行うことができる。【００３０】
又、第２カーブを、留置状態あるいは自然状態において、左冠動脈口から、これと反対側の上行大動脈壁であって右冠動脈口の上方の部分に至る上行大動脈壁に沿った半らせん状の曲線に相当するものとしたり、左冠動脈口から、これと反対側の上行大動脈のその他の壁部分に至る他の任意の壁上行大動脈に沿った曲線に相当するものとしたりする。【００３１】
あるいは、第２カーブを、留置状態あるいは自然状態において、右冠動脈口から、これと反対側の上行大動脈の壁部分に至る上行大動脈壁に沿う曲線に相当するものとする。この場合、先端際導入対象である従生体管路は、右冠動脈となる。又、主生体管路を大動脈とすると共に、従生体管路を大動脈より分岐する腎動脈とする。あるいは、主生体管路を腹大動脈とすると共に、従生体管路を腹大動脈より分岐する肝動脈とする。主生体管路を他の脈管とし、従生体管路をこれより分岐する脈管とする。【００３２】
又、カテーテルを造影用または薬液排出用カテーテルとする。造影用または薬液排出用カテーテルとした場合であっても、留置時において、従生体管路に導入される本体の先端際の直後から主生体管路の内壁によって支持され、本体における先端際より基端側が動いてしまう事態を防止して、先端際の従生体管路からの離脱を始めとする操作への支障を防止することができる。
【図面の簡単な説明】
【００３３】
【図１】本発明の実施形態に係る冠動脈用カテーテルの一部省略右側面図である。
【図２】図１のカテーテルにおける先端部付近の（ａ）平面図、（ｂ）右側面図、（ｃ）正面図である。
【図３】図１のカテーテルを留置した場合の説明図である。
【図４】図３のＡ−Ａ線断面図である。
【符号の説明】
【００３４】
１    冠動脈用カテーテル
２    カテーテル本体
４    基端部
５    先端部
１０    第１カーブ
１１    第２カーブ
１２    第３カーブ
【図１】
0005167131.tif 000002
【図２】
0005167131.tif 000003
【図３】
0005167131.tif 000004
【図４】
0005167131.tif 000005